(57)【要約】【課題】  スクリーンに映像を斜めに拡大投写しても台形歪若しくは収差若しくはその両方を抑えることができ、且つ組立調整が容易な投写映像表示装置及びそれに用いる投写光学ユニットを提供する。【解決手段】  映像発生源(1)を光学系ベース(7)に対し固定し、映像発生源(1)を調整機構(15)を用いて、少なくとも上下方向の傾き（X軸に平行な軸を回転中心とする）と、前後方向（Z軸方向）の距離を調整できるようにする。更に、第１の光学系である投写レンズ(2)と第２の光学系である自由曲面ミラー(5)も光学系ベース(7)に固定する。そして自由曲面ミラー(5)の略中心を中心軸として上下方向（X軸に平行な軸を回転中心とする）に回転可能なように構成する。【選択図】図１
2011175277.tif 000002
【特許請求の範囲】
【請求項１】
投写型映像表示装置において、
映像表示素子と、
前記映像表示素子の略中心を通る軸に対称な形状の面を持つ共軸光学系を含む前群と、
片側若しくは両側の面が自由曲面形状を為す少なくとも１枚の自由曲面レンズを含む後群とを備え、前記映像表示素子上に表示された映像をスクリーン上に拡大して投写する投写レンズを含む第１光学系と、
少なくとも１枚の自由曲面形状を有する自由曲面ミラーを含み、前記投写レンズからの拡大映像を前記スクリーンに対して斜めに投写する第２の光学系と、を備え、
前記映像表示素子、前記投写レンズ及び前記第２の光学系を各々共通の光学系ベースに固定したことを特徴とする投写型映像表示装置。
【請求項２】
請求項１に記載の投写型映像表示装置において、前記映像表示素子を含む映像発生源からの光の出射方向と前記投写レンズ光軸との角度の調整と、前記映像発生源と前記投射レンズとの光学的距離の調整との少なくともいずれか一方を可能にするための機構をさらに備えることを特徴とする投写型映像表示装置。
【請求項３】
請求項２に記載の投写型映像表示装置において、前記自由曲面ミラーを、該自由曲面ミラーの略中心を中心軸として回転可能にするための機構をさらに備えることを特徴とする投写型映像表示装置。
【請求項４】
請求項２に記載の投写型映像表示装置において、前記投写レンズの前群の中で最も正のパワーの大きいレンズ群を、前記投写レンズの光軸方向に移動可能にするための機構をさらに備えることを特徴とする投写型映像表示装置。
【請求項５】
投写型映像表示装置に用いられる光学ユニットにおいて、
映像表示素子と、
前記映像表示素子の略中心を通る軸に対称な形状の面を持つ共軸光学系を含む前群と、
片側若しくは両側の面が自由曲面形状を為す少なくとも１枚の自由曲面レンズを含む後群とを備え、前記映像表示素子上に表示された映像をスクリーン上に拡大して投写する投写レンズを含む第１光学系と、
少なくとも１枚の自由曲面形状を有する自由曲面ミラーを含み、前記投写レンズからの拡大映像を前記スクリーンに対して斜めに投写する第２の光学系と、を備え、
前記映像表示素子、前記投写レンズ及び前記第２の光学系を各々共通の光学系ベースに固定したことを特徴とする光学ユニット。
【請求項６】
請求項５に記載の光学ユニットにおいて、前記映像表示素子を含む映像発生源からの光の出射方向と前記投写レンズ光軸との角度の調整と、前記映像発生源と前記投射レンズとの光学的距離の調整との少なくともいずれか一方を可能にするための機構をさらに備えることを特徴とする光学ユニット。
【請求項７】
請求項５に記載の光学ユニットにおいて、前記自由曲面ミラーを、該自由曲面ミラーの略中心を中心軸として回転可能にするための機構をさらに備えることを特徴とする光学ユニット。
【請求項８】
請求項５に記載の光学ユニットにおいて、前記投写レンズの前群の中で最も正のパワーの大きいレンズ群を、前記投写レンズの光軸方向に移動可能にするための機構をさらに備えることを特徴とする光学ユニット。
【発明の詳細な説明】
【技術分野】
【０００１】
本発明は、例えば、カラーの拡大映像をスクリーン上に投写して映像表示を行なう投写型映像表示装置に関し、特に、映像をスクリーンに対して斜めに投写して拡大映像をスクリーン上に形成する投写型映像表示装置、及びこれに用いられる投写光学ユニットに関する。
【背景技術】
【０００２】
反射型、透過型液晶パネルや微小ミラーを用いた表示素子をスクリーン上に拡大表示する投写型映像表示装置においては、そのスクリーン上で充分な大きさの拡大映像を得ることは勿論のこと、同時に、装置の奥行寸法を短縮することが要求される。かかる要求を実現するために、下記の特許文献１に記載されているような、スクリーンに対して斜め方向から拡大・投写する(以下、これを「斜め投写」と称する)ための投写光学ユニットが知られている。また、かかる斜め投写に曲面ミラーを用いた場合における光学的な調整に関しては、例えば下記特許文献２に記載のものが知られている。
【先行技術文献】
【特許文献】
【０００３】
【特許文献１】特開２００１−２６４６２７号公報
【特許文献２】特開２００２−３５０７７４号公報
【発明の概要】
【発明が解決しようとする課題】
【０００４】
斜め投写、すなわちスクリーン主平面の法線に対し、所定の角度を以って(例えばスクリーン下方から)映像を投写すると、スクリーン上に投写された映像に、台形歪み、及びスクリーン上下の投写距離の差から生じる収差が生じる。これを解消するため、上記特許文献１では、投写光学系とスクリーンとの間に配置された負のパワーをもつ自由曲面ミラーにより台形歪を補正している。一方、収差については、映像表示素子を共軸投写光学系に対し平行移動、または映像表示素子を非軸対称の投写光学系に対し傾けるとともに平行移動させることにより補正している。
【０００５】
しかしながら、このような収差補正では、スクリーン上の映像が縦方向にずれる可能性があり、そのための補正機構が必要になる。また共軸投写光学系を使用するものにおいては、非常に広い画角が要求されるため、レンズ枚数が多くなり、口径も大きくなる。
【０００６】
上記特許文献２には、自由曲面ミラーの移動による調整方法が開示されているが、上記の収差補正については考慮されていない。
【０００７】
このように、従来技術では、台形歪と収差をそれぞれ別の手段で補正しているため、必要なレンズ径も大きく、またレンズの枚数も多くする必要がある。すなわち上記従来技術は、斜め投写において、台形歪及び収差を良好に低減しつつ映像表示装置の奥行き、及び／またはスクリーン下部の高さを小さくすること（以下、これを「セットのコンパクト化」と称する）は困難であった。
【０００８】
本発明は、上述した課題に鑑みて為されたものであり、その目的は、台形歪及び収差が低減された映像を表示しつつセットをコンパクト化するのに好適な技術を提供することにある。
【０００９】
また、本発明は、背面投写型の映像標示装置において、上記のような表示特性をもつコンパクト化されたセットの製造、または組立調整を容易にすることが可能な技術を提供する。
【課題を解決するための手段】
【００１０】
本発明は、斜め投写を行うものにおいて、光出射方向に凹を向けた面を有するとともに光軸に対して回転非対称の形状を持つ少なくとも一つの非対称レンズを含む投写レンズを備えた第１の光学系と、反射面の少なくとも一部が反射方向に凸を向けた少なくとも一つの凸面ミラーを含む第２の光学系を備える。そして本発明は、上記第１の光学系及び第２の光学系が、共通の光学系支持ユニットに搭置され固定されていることを特徴とするものである。
【００１１】
上記非対称レンズは、そのスクリーン下端に向かう光線が通過する部分の曲率が、前記スクリーン上端に向かう光線が通過する部分の曲率よりも大きい自由曲面レンズである。また、上記凸面ミラーは、そのスクリーンの下方に向かう光を反射する部分の曲率が、前記スクリーンの上方に向かう光を反射する部分の曲率よりも大きい、もしくはスクリーンの下方に向かう光を反射する部分が該光の反射方向に凸の形状を為し、スクリーンの上方に向かう光を反射する部分が光の反射方向に凹の形状を為す自由曲面ミラーである。
【００１２】
また本発明は、映像表示素子を含む映像発生源からの光の出射方向と前記投写レンズ光軸との角度の調整と、前記映像発生源と前記投射レンズとの光学的距離の調整との少なくともいずれか一方を可能にするための機構、上記自由曲面ミラーを該自由曲面ミラーの略中心を中心軸として回転可能にするための機構、または上記投写レンズの中で最も正のパワーの大きいレンズ群を前記投写レンズの光軸方向に移動可能にするための機構の、少なくともいずれか一つを備える。
【発明の効果】
【００１３】
本発明によれば、映像の斜め投写により生じる台形歪及び／または収差を低減して良好な映像を得つつ、セットをコンパクト化することが可能となる。
【図面の簡単な説明】
【００１４】
【図１】本発明に係る映像表示装置の一実施形態を示す断面図。
【図２】本発明に係る投写光学ユニットの基本構成を示す断面図。
【図３】本発明に係る一実施例の構成と光路を示すＹＺ断面図。
【図４】本発明に係る一実施例の構成と光路を示すＸＺ断面図。
【図５】本発明に係る一実施例の歪性能を表す図である。
【図６】本発明に係る一実施例のスポット性能を表す図である。
【図７】本発明に係る投写光学ユニットの一例を示す図。
【図８】本発明に係る投写光学ユニットの調整機構の一例を示す図。
【図９】本発明に係る投写光学ユニットの調整機構の一例を示す図。
【図１０】本発明に係る投写光学ユニットの断面図。
【発明を実施するための形態】
【００１５】
以下、本発明の実施の形態について図面を参照しつつ説明する。
【００１６】
図１は本発明による映像表示装置の一部断面斜視図である。映像発生源１は、小型の映像を表示する。映像発生源１は、反射型や透過型の液晶パネル、または微小なミラーを複数備えた表示素子等の光変調素子を含む。また、映像発生源１は投写型ブラウン管を含むものであってもよい。第１の光学系の構成要素である投写レンズ２は、映像発生源１の映像をスクリーン３に投写する。投写レンズ２からスクリーン３に至る光路中には、映像表示装置の奥行を低減するために平面反射ミラー４が設けられている。第２光学系の構成要素である自由曲面ミラー５は、前記投写レンズ２と平面反射ミラー４との間に設置されている。投写レンズからの光は、自由曲面ミラー５で反射されて平面反射ミラー４に導かれ、さらに平面反射ミラー４で反射されてスクリーン３に導かれる。これらの要素は、筐体６の内部に収納され、所定の位置に固定される。また、前記映像発生源１、投写レンズ２、自由曲面ミラー５は、光学系ベース７に固定され一体化されている。以下、本発明による投写光学ユニットの構成部品の特徴について、図２を使用して説明する。
【００１７】
図２は本実施形態に係る投写光学ユニットを用いた背面投写型映像表示装置の基本的な光学構成を示す断面図である。図２は、光学系の構成をＸＹＺ直交座標系におけるＹＺ断面で示している。ここで、ＸＹＺ直交座標系の原点は、映像発生源１を構成する映像表示素子１１の表示画面の中央とし、Ｚ軸はスクリーン３の法線と平行であるものとする。Ｙ軸はスクリーンの画面の短辺と平行であり、スクリーンの水平方向と等しいものとする。Ｘ軸は、スクリーンの画面の長辺と平行であり、スクリーンの垂直方向と等しいものとする。
【００１８】
図２に示すように、映像表示素子１１から射出した光は、透過型のレンズ群で構成される投写レンズ２のうち、まず回転対称な面形状を有する複数の屈折レンズから構成される前群１２を通過する。その後、少なくとも一方の面が回転非対称の自由曲面の形状を有するレンズ（以下、「自由曲面レンズ」と称する）を含む投写レンズの後群１３を通過する。その後、回転非対称の自由曲面形状の反射面を有する少なくとも１枚の反射鏡(以下、自由曲面ミラーと言う)５で反射されるそして、平面反射ミラー４で反射された後、スクリーン３に入射する。
【００１９】
ここで上記映像表示素子１１が上記光変調素子の場合は、この光変調素子を照射するランプ等の照明系が必要であるが、それらの図示は省略している。また、映像表示素子１１は、所謂３板式のように複数の画を合成する方式でもよい。その場合に必要になる合成用プリズム等の合成光学系についても、その図示は省略している。
【００２０】
図２において、投写レンズ２の長さが長いことから、前記映像表示素子１１の位置がスクリーンの法線の方向に対して遠くなり奥行きが大きくなるように見受けられるかもしれない。しかしながら、本実施形態では、前記自由曲面ミラー５と前記投写レンズ２の後群１３との間、前記投写レンズ２の前群１２と後群１３の間、または前群１２の途中において、ミラー（図示せず）を配置している。これにより、投写レンズ２の光軸を図２に示す断面に対してほぼ垂直な方向に折り曲げ、奥行きの増大を防止できる。
【００２１】
本実施形態では、図２に示すように、上記映像表示素子１１は、その表示画面の中央が上記投写レンズ２の光軸上に配置されている。従って、上記映像表示素子１１の表示画面の中央から出て上記投写レンズ２の入射瞳の中央を通ってスクリーン３上の画面中央に向かう光線２１は、ほぼ上記投写レンズの光軸に沿って進む（以下、これを画面中央光線という）。この画面中央光線は、自由曲面ミラー５の反射面上の点Ｐ２で反射された後、平面反射ミラー４上の点Ｐ５で反射されて、スクリーン３上の画面中央の点Ｐ８にスクリーンの法線８に対して所定の角度を以って（すなわち斜めに）入射される。この角度を以下、「斜め入射角度」と称し、θｓで表わすこととする。
【００２２】
このことはすなわち、前記投写レンズ２の光軸に沿って通過した光線がスクリーンに対して斜めに入射していることであり、実質的に投写レンズ２の光軸がスクリーンに対して斜めに設けられていることになる。このような方法でスクリーンに斜め入射させると、投写した長方形の形状が台形になる所謂台形歪の他にも光軸に対して回転対称でない種々の収差が生じる。本実施形態では、これ等を前記投写レンズ２の後群１３と前記第２の光学系の反射面とで補正している。
【００２３】
図２に示す断面内において、上記映像表示素子１１の画面下端から該画面下端と上記投写レンズ２の入射瞳の中央を通って射出され、これに対応するスクリーン上の画面上端の点Ｐ９に入射する光線を光線２２とする。また、上記映像表示素子１１の画面上端から該画面上端と上記投写レンズ２の入射瞳の中央を通って射出され、これに対応するスクリーン上の画面下端の点Ｐ７に入射する光線を光線２３とする。図２を見ると、点Ｐ３から点Ｐ６を経由して点Ｐ９に到る光路長は、点Ｐ１から点Ｐ４を経由して点Ｐ７に到る光路長よりも長くなっている。これは、投写レンズ２から見て、スクリーン上の像点Ｐ９が像点Ｐ７よりも遠くにあることを意味している。そこで、スクリーン上の像点Ｐ９に対応する物点（表示画面上の点）がより投写レンズ２に近い点に、また、像点Ｐ７に対応する物点がより投写レンズ２から遠い点にあれば、像面の傾きを補正できる。そのためには、前記映像表示素子１の表示画面の中央における法線ベクトルを、前記投写レンズ２に光軸に対し傾けるようにする。具体的には、上記法線ベクトルを、ＹＺ平面内において、スクリーンの位置する方へ向けるように傾ければよい。光軸に対して傾いた像平面を得るのに物平面を傾ける方法は知られている。しかしながら、実用的な大きさの画角では、物平面の傾きによる像面は光軸に対して非対称な変形を生じ、回転対称な投写レンズでは補正が困難である。本実施形態では、回転対称でない、すなわち回転非対称の自由曲面を用いていることから、非対称な像面の変形に対応できる。このため、物平面を傾けることで低次の像面の歪を大きく低減でき、自由曲面による収差補正を補助する上で効果的である。
【００２４】
次に、各光学要素の作用について説明する。第１光の学系である投写レンズ２は、その前群１２が前記映像表示素子１１の表示画面をスクリーン３に投写するための主レンズであり、回転対称な光学系における基本的な収差を補正する。投写レンズ２の後群１３は、回転非対称の自由曲面レンズを含んでいる。ここで本実施形態においては、自由曲面レンズは、その光出射方向に対して凹を向くように湾曲されている。そして、自由曲面レンズの、スクリーン３の下端に向かう光線が通過する部分の曲率を、前記スクリーン上端に向かう光線が通過する部分の曲率よりも大きくしている。そして第２の光学系は、回転非対称の自由曲面形状を有する自由曲面ミラーを有している。ここで本実施形態においては、この自由曲面ミラーは、その一部が光の反射方向に対して凸を向くように湾曲された、回転非対称の凸面ミラーとしている。具体的には、自由曲面ミラーの、スクリーン３の下方に向かう光を反射する部分の曲率を、前記スクリーンの上方に向かう光を反射する部分の曲率よりも大きくしている。また、自由曲面ミラーの、スクリーンの下方に向かう光を反射する部分が該光の反射方向に凸の形状を為し、スクリーンの上方に向かう光を反射する部分が光の反射方向に凹の形状を為すようにしてもよい。上記自由曲面レンズと自由曲面ミラーの作用により、主として、斜め入射によって生じる収差の補正が行われる。すなわち、本実施形態では、第２の光学系が主として台形歪を補正し、第１の光学系である投写レンズ２の後群１３が、主として像面の歪みなどの非対称な収差の補正を行なう。
【００２５】
このように、本実施形態は、第１の光学系が回転非対称の自由曲面レンズを少なくとも一つ含み、第２の光学系が回転非対称の自由曲面ミラーを少なくとも一つ含んでいる。これによって、斜め投写によって生じる台形歪と収差の両方を補正可能としている。
【００２６】
前記第２光学系の反射面の座標原点（ここでは、画面中央光線を反射する位置の座標とする）と、投写レンズ２の前群１２のうち最もスクリーン側に近いレンズ面との光軸方向の距離が、投写レンズ２前群の焦点距離の５倍以上に設定することが望ましい。これによって、前記第２光学系の反射面により台形歪、収差をより効果的に補正し、良好な性能を得ることができる。
【００２７】
一方、自由曲面ミラーは、その寸法が大きくなるほど製造が非常に困難になることから、所定の大きさ以下にすることが重要である。例えば図２に示す平面反射ミラー４の大きさはスクリーン画面の約７０％以上にもなるため、５０型以上のような大画面のリアプロジェクタでは５００ｍｍを越えるサイズとなり、これを自由曲面形状にすると製造が非常に困難となる。従って、リアプロジェクタでこの平面反射ミラーを自由曲面にすることは適当でない。そこで、本実施形態では、自由曲面ミラー５の寸法を平面反射ミラー３の寸法よりも小さくし、その自由反射ミラー５を平面反射ミラー３の下方に配置している。そして、投写レンズ２からの映像光を自由曲面ミラー５、平面反射ミラーの順で反射させて、スクリーン３に投写している。
【００２８】
以上の説明は、図２に示す実施形態に基づいて行った。しかしながら、ミラーによる光路の折り曲げの方向が、図２とは逆に画面長辺を含む平面内にある場合でも、上記説明した本実施形態と同様な考えを適用できる。
【００２９】
これによって、屈折面を有する投写レンズ２において、レンズの偏心やレンズ径の増大を招くことなく、またレンズ枚数を増加させることなく、斜め入射による台形歪の補正を実現できる。更に、奥行を小さく、かつ製造が容易な投写光学ユニットを実現できる。更にまた、本実施形態によれば、奥行とスクリーン下部の高さを低減させたコンパクトなセットが提供でき、小さな自由曲面ミラーで製造が容易な光学系を提供できる。
【００３０】
以下、本発明に係る光学系の実施例について、具体的な数値を例示しつつ説明する。図３から図６と表１から表４を用いて本発明の数値実施例の１つについて説明する。
【００３１】
図３と図４は、第１の数値例に基づく本発明に係る光学系の光線図を示している。前述したＸＹＺ直交座標系において、図３はＹＺ断面、図４はＸＺ断面での構造を示している。図１では、投写レンズ２の前群１２の途中に折り曲げミラーを設置して光路をＸ軸方向に一度折り曲げている例を示している。図３では、この折り曲げミラーを省略しており、光学系をＺ軸方向に展開して示している。図４は、折り曲げミラーを含め光路を折り曲げた状態の光学系を示している。折り曲げミラーは、設置の位置や角度に若干の任意性があり、また各光学要素の機能に影響を及ぼさない。従って、以下の説明では、折り曲げミラーを省略して説明することにする。
【００３２】
本例において、図３の下側に表示した映像表示素子１１から射出した光は、複数のレンズを含む投写レンズ２のうち、まず回転対称形状の面のみを有するレンズのみで構成される前群１２を通過する。そして、回転非対称の自由曲面レンズを含む後群１３を通り、第２の光学系である自由曲面ミラー５の反射面で反射される。その反射光は、平面反射ミラー４で反射された後、スクリーン３に入射される。
【００３３】
ここで、投写レンズ２の前群１２は、全て回転対称な形状の屈折面を持つ複数のレンズで構成されており、各屈折面のうち４つは回転対称な非球面であり、他は球面である。ここに用いられた回転対称な非球面は、各面ごとのローカルな円筒座標系を用いて、次の式で表される。
【００３４】
【数１】
2011175277.tif 000003
ここで、ｒは光軸からの距離であり、Ｚはサグ量を表している。また、ｃは頂点での曲率、ｋは円錐定数、ＡからＪはｒのべき乗の項の係数である。
【００３５】
前記投写レンズ２の後群１３にある自由曲面レンズは、各面の面頂点を原点とするローカルな直交座標系（ｘ、ｙ、ｚ）を用い、Ｘ、Ｙの多項式を含む次の式で表わされる。
【００３６】
【数２】
2011175277.tif 000004
ここで、ＺはＸ、Ｙ軸に垂直な方向で自由曲面の形状のサグ量を表わしており、ｃは頂点での曲率、ｒはＸ、Y軸の平面内での原点からの距離、ｋは円錐定数、Ｃ（ｍ、ｎ）は多項式の係数である。
【００３７】
表１は、本実施例に係る光学系の数値データを示している。表１において、Ｓ０〜Ｓ２３は、図１０に示された符号Ｓ０〜Ｓ２３にそれぞれ対応している。ここで、Ｓ０は映像表示素子１１の表示面、すなわち物面を示しており、Ｓ２３は自由曲面ミラー５の反射面を示している。またＳ２４は、図１０では示されていないが、スクリーン３の入射面、すなわち像面を示している。なお、図１０において、上図は本実施例に係る第１及び第２の光学系の垂直方向断面図、下の図は、その光学系の水平方向断面図を表している。
【００３８】
表１においてＲｄは各面の曲率半径であり、図３の中で面の左側に曲率の中心がある場合は正の値で、逆の場合は負の値で表わしている。また表１においてＴＨは面間距離であり、そのレンズ面の頂点から次のレンズ面の頂点までの距離を示す。あるレンズ面に対して、次のレンズ面が図３の中で左側に位置するときには面間距離は正の値、右側に位置する場合は負の値で表している。更に、表１においてＳ５、Ｓ６、Ｓ１７、Ｓ１８は回転対称な非球面であり、表１では面の番号の横に＊を付けて分かり易く示している。これら４つ面の非球面の係数を表２に示している。
【００３９】
本実施例では、映像表示素子１１の表示画面である物面を、投写レンズ２の光軸に対して−１．１６３度傾けている。傾けの方向は、図３の断面内で物面の法線が反時計回りに回転する方向を正の値で表わすことにする。従って、本実施例では物面を図３の断面内で、投写レンズ２の光軸に垂直な位置から時計回り方向に１．１６３度傾けていることになる。
【００４０】
Ｓ２３の自由曲面ミラー５は、そのローカル座標の原点を前記投写レンズ２の光軸上に置いている。そして、自由曲面ミラー５のローカル座標の原点での法線、すなわちＺ軸を、投写レンズ２の光軸と平行な位置から２９度傾けて配置している。傾けの方向は前記物面と同様に図３の断面内で反時計回りに回転する方向を正とし、従って反時計回りに傾けていることになる。これによって、映像表示素子１１の画面中央から出てほぼ投写レンズ２の光軸に沿って進んできた画面中央光線は、Ｓ２３で反射後、投写レンズ２の光軸に対して前記傾き角度の２倍の５８度だけ傾いた方向に進む。ここで、Ｓ２３の座標原点を通り、投写レンズ２の光軸対するＳ２３の傾き角度の２倍傾いた方向を、反射後の新たな光軸とし、以後の面はこの光軸上に配置されるものとする。表１のＳ２３に示した面間隔の値−４００は、次のＳ２４が、Ｓ２３の右側にあり前記反射後の光軸に沿って４００ｍｍの距離の点にローカル座標の原点を配置されていることを示している。以下の面も同じ規則により配置されている。
【００４１】
本実施例における、各面のローカル座標系の傾け又は偏心の様子を表４に示す。表４において、面番号の右側に傾き角度、偏心の値を示しており、ＡＤＥは図３の断面と平行な面内での傾きの大きさであり、その表示規則は上に示した通りである。また、ＹＤＥは偏心の大きさであり、偏心は図３の断面と平行な面内でかつ光軸に垂直な方向で設定され、図３の断面において下側への偏心を正とする。尚、本実施例においては、ＹＤＥを０（すなわち偏心なし）としている。
【００４２】
本発明では、全ての光学要素の傾きや偏心は、図示した断面に平行な断面内での方向で設定される。
【００４３】
表１、表３から、本実施例では、曲率ｃとコーニック係数ｋが０となっていることがわかる。斜め入射による台形歪は、斜め入射の方向に極端に大きく発生し、これと垂直な方向に歪量は小さい。従って、斜め入射の方向とこれに垂直な方向とでは、大幅に異なる機能が必要であり、回転対称で全方向に機能する上記曲率ｃやコーニック係数ｋを利用しないことにより、非対称な収差を良好に補正することができる。
【００４４】
【表１】
2011175277.tif 000005
【００４５】
【表２】
2011175277.tif 000006
【００４６】
【表３】
2011175277.tif 000007
【００４７】
【表４】
2011175277.tif 000008
上記表１〜４の数値は、物面上１６×９の範囲の映像を像面上１４５２．８×８１７．
２の大きさに投写する場合の一例である。そのときの図形歪を図５に示す。図５の縦方向は図３の上下方向であり、Ｙ軸の方向である。図５の横方向はスクリーン上でＹ軸と直交する方向であり、図の長方形の中央が画面の中央である。図は画面の縦方向を４分割、横方向を８分割した直線の曲がりの状態を表示して図形歪の様子を示している。
【００４８】
本数値実施例のスポットダイアグラムを図６に示す。図６では、映像表示素子１１の表示画面上、Ｘ，Ｙ座標の値で、（８，４．５）、（０，４．５）、（４．８，２．７）、（８，０）、（０，０）、（４．８、−２．７）、（８、−４．５）、（０、−４．５）の８点から射出した光束のスポットダイアグラムを上から順に示す。単位はｍｍである。各スポットダイアグラムの横方向はスクリーン上でのＸ方向、縦方向はスクリーン上でのＹ方向である。このように、両者ともに、良好な性能を維持している。
【００４９】
以上、本発明に係る実施形態の光学ユニットについて説明した。本実施形態が従来技術で説明した特許文献１と異なる点は、投写レンズ２の後群１３が回転対称でない自由曲面形状を有するレンズで構成され、第２の光学系が回転対称でない自由曲面形状を有する反射面で構成されることにある。更に、これらの役割が別々で、第２の光学系が主として台形歪を補正し、第１の光学系である投写レンズ２の後群１３が、主として像面の歪みなどの非対称な収差の補正を行なう。
【００５０】
従って、本実施形態においては、組立調整時の焦点合せを、従来技術のように結像光学系のレンズ群をその軸方向に沿って移動させる事によって行なうことはできない。
【００５１】
図７は本実施形態に係る投写光学ユニットを構成する投写レンズ２のレンズ群を示す図であり、該レンズ群を保持するレンズ保持部材は図示から省略されている。投写レンズ２の前群１２は、映像表示素子１１の表示画面をスクリーン（図示せず）に投写するための主レンズであり、回転対称な面形状を有する複数の屈折レンズから構成され、回転対称な光学系における基本的な収差を補正する。投写レンズ２の後群１３は、回転非対称の自由曲面レンズを含んでおり、主として、斜め入射によって生じる収差の補正を行なう。
【００５２】
図７から明らかなように、本実施形態において、自由曲面レンズの少なくとも１枚は、その光出射方向に対して凹を向くように湾曲されている。そして、自由曲面レンズの、スクリーン３の下端に向かう光線が通過する部分の曲率（ここでは、自由曲面レンズの下側）を、スクリーン３上端に向かう光線が通過する部分（ここでは、自由曲面レンズの上側）の曲率よりも大きくしている。また、本実施形態においては、自由曲面レンズを２枚組み合わせて投写レンズ２の後群１３を構成している。
【００５３】
本実施例では、折り曲げミラー１４は、前群１２の途中に設けられている。従来技術では、結像光学系のレンズ群を軸方向に沿って移動させるには、レンズ保持部材（鏡筒）に斜めに溝を入れ内部のレンズ群をその溝に沿って回転させることにより行なっていた。本実施形態では、回転非対称の自由曲面レンズを用いているため、この回転非対称の自由曲面レンズを有する後群１３を回転させることができない。よって、本実施形態では、上述したように従来技術による方法でレンズ群を光軸方向に沿って移動させることができない。一方、本実施形態に係る投写レンズ２の前群１２は、回転対称なレンズ群で構成されているため、この前群１２を回転させても光学像が変形しない。よって、前群１２のレンズ群を軸方向に沿って移動させて焦点合せをすることは可能である。ところが、このような焦点合せでは、収差補正を行なう後群１３の入射面に入射する光線位置が変化する。このような光線位置の変化が生じると、後群１３で良好に収差補正をすることができなくなる場合がある。従って本実施形態では、投写レンズ２の前群１２及び後群１３の位置を固定し、その投写レンズ２の前に設置される映像表示素子１１の位置、及び／または傾きを変えて組立調整時の焦点合せを行なうようにしている。
【００５４】
図８に、このような調整期機構を持つ光学ユニットの一例を示す。図８において、映像発生源１は一例として３板式の透過型の液晶パネルを使用した場合を示しているが、反射式の液晶パネルを使用したものでもよい。また、微小なミラーを複数備えた表示素子を使用したものでもよい。投写レンズ２は、図７で示した折り曲げミラー１４が、前群１２の途中に設けられているものである。自由曲面ミラー５は、映像発生源１及び前記投写レンズ２とともに、光学系支持体である光学系ベース７に固定され一体化されている。光学系ベース７に固定されるもののうち、投写レンズ２はリジッドに固定、一体化される。一方、映像発生源１は、調整機構１５で少なくとも上下方向（前記Ｘ軸に平行な軸を回転中心とする）の傾きと、前後方向（前記Ｚ軸方向）、すなわち映像発生源１の出射側と投写レンズ２の前群１２との距離を調整できるように光学系ベース７に固定される。また、自由曲面ミラー５は光学系ベース７に設けられた支持具１６で、該自由曲面ミラー５の略中心を中心軸として回転可能なように固定される。図８において、回転中心用のピン１７は、自由曲面ミラー５の中心をその両端から可能に挟持し、これを軸として自由曲面ミラー５が回転可能にされる。自由曲面ミラー５の下端は、回転用ガイド溝１８を介して固定用蝶ナット１９と結合される。そして、固定用蝶ナット１９を用いて、回転用ガイド溝１８に沿って自由曲面ミラー５の下端をスライドさせることにより、ピン１７を中心軸として自由曲面ミラー５を回転させることが可能となる。これにより、自由曲面ミラー５の反射面中心における法線と投写レンズ２の光軸との為す角度、すなわち自由曲面ミラー５の傾き角が調整される。
【００５５】
この例では、映像発生源１として、赤、緑、青色に対応する３つの透過型液晶パネル３１を使用している。これらの液晶パネルからの映像は、クロスダイクロイック・プリズム３２で合成される。
【００５６】
赤、緑、青色に対応する映像の焦点合せを、各液晶パネル３１をそれぞれ単独に移動させて行なうことも可能である。しかしながら、この場合、投写表示位置合せ、画素の位置合せ、像面収差補正等、補正すべき物理量が多くなる。よって、各液晶パネル３１の移動だけで全ての調整を行なうことは困難である。そこで本実施形態では、各液晶パネル３１の移動を画素の位置合せ用とし、映像発生源１を保持する調整機構１５を投写表示のための位置合せ、及び像面収差補正用として、各液晶パネル３１の調整と分離した。また、歪曲収差の補正は自由曲面ミラー５の回転で行なえるようにした。本実施形態では、このように補正すべき物理量に合せて補正機構を分離することで、容易に映像の焦点合せを行なうことができるようにした。
【００５７】
以上説明したように補正機構を分離できたのは、次の理由による。すなわち、本実施形態では、(1)投写レンズ２の前群１２を、液晶パネル３１の表示画面をスクリーン３に投写するための主レンズとするとともに、前群１２を回転対称な光学系における基本的な収差を補正するよう構成した；(2)投写レンズ２の後群１３を、回転非対称の自由曲面レンズとし、主として、像面収差の補正するよう構成した；(3)自由曲面ミラー５を、主として、歪曲収差を補正するよう構成した；ことによって、上記のような補正機構を可能にしたものである。
【００５８】
本発明に係る投写光学ユニットのその他の実施例を図９に示す。図８との違いは、投写レンズ２の前群の中で、最も正のパワーの大きいレンズ群（図示せず。以下、これをパワーレンズと称する）を軸方向に移動可能としたことにある。パワーレンズを軸方向に沿って移動させるには、レンズ保持部材（鏡筒）に斜めにレンズ移動用ガイド溝３６を入れ内部のレンズ群をその溝に沿って回転させることにより行なう。図９において、レンズ固定用蝶ナット３７は、パワーレンズもしくはそれを保持する要素と結合されており、これを上記ガイド溝３６に沿ってスライドさせることにより、パワーレンズをその光軸に沿って移動させる。すなわち、本例では、ガイド溝３６とレンズ固定用蝶ナット３７で焦点合せのための調整機構を構成している。投写レンズ２にこの機能を追加することにより、映像発生源１を調整可能なように光学系ベース７に固定される調整機構３５を省くことができる。また、図８の例にパワーレンズの調整機構を用いると、少なくとも上記前後方向（Ｚ軸方向）の距離の調整を省くことが可能となる。
【００５９】
以上述べたように、本実施形態によれば、セットの奥行サイズを低減しつつ、且つ組立調整が容易な背面投写型カラー映像表示装置を実現できる。また、上記光学系で、平面反射ミラーを取り除き映像表示素子から自由曲面ミラーまでを１つの装置に収納すれば、前面投写型の表示装置となる。従って、装置からスクリーンまでの距離が非常に短いコンパクトな前面投写装置を実現できる。
【符号の説明】
【００６０】
１…映像発生源、２…投写レンズ、３…スクリーン、４…平面反射ミラー、５…自由曲面ミラー、６…筐体、１１…映像表示素子、１２…投写レンズ前群、１３…投写レンズ後群、１４…折り曲げミラー、１５、３５…調整機構１６…支持具、１７…回転中心用のピン、１８…自由曲面ミラー回転用ガイド溝、３６…レンズ移動用ガイド溝。
【図１】
2011175277.tif 000009
【図２】
2011175277.tif 000010
【図３】
2011175277.tif 000011
【図４】
2011175277.tif 000012
【図５】
2011175277.tif 000013
【図６】
2011175277.tif 000014
【図７】
2011175277.tif 000015
【図８】
2011175277.tif 000016
【図９】
2011175277.tif 000017
【図１０】
2011175277.tif 000018